(57)【要約】【課題】  同じ電話番号で着信する電話機を利用者が容易に変更可能であり、また、着信時の動作を利用者毎に容易に設定可能な通信端末装置及び登録サーバを提供する。【解決手段】  利用者が通信端末装置１の設定部１１にメモリデバイス１４を装着すると、メモリデバイス１４からアカウント情報と属性情報を読み出して記憶部１３に記憶するとともに、通信制御部１２は登録サーバ２へアカウント情報を登録する。以後、当該アカウント情報へのＩＰ電話は通信端末装置１に着信する。着信時には、アカウント情報に対応する属性情報から呼び出し音や表示などを利用者毎に変更することができる。メモリデバイス１４が取り外されると、登録サーバ２に対して対応するアカウント情報の解除を行う。利用者は移動先の通信端末装置に、取り外したメモリデバイス１４を装着すればよい。【選択図】  図１
2007053682.tif 000002
【特許請求の範囲】
【請求項１】
登録サーバに登録された電話番号により複数の利用者がＩＰ電話として共用する通信端末装置において、少なくとも電話番号を含むアカウント情報の設定及び解除が可能な設定手段と、該設定手段による設定または解除の指示に従い前記登録サーバへの前記アカウント情報の登録あるいは前記登録サーバからの当該アカウント情報の解除を行う通信制御手段を有することを特徴とする通信端末装置。
【請求項２】
前記設定手段は、アカウント情報を記憶したメモリデバイスの着脱が可能であり、メモリデバイスの装着により該メモリデバイスから前記アカウント情報を読み出して該アカウント情報の設定を前記通信制御手段に行わせ、メモリデバイスの取り外しにより対応するアカウント情報の解除を前記通信制御手段に行わせることを特徴とする請求項１に記載の通信端末装置。
【請求項３】
前記メモリデバイスには、該メモリデバイスに対応する利用者の属性情報が記憶されており、前記設定手段は、前記メモリデバイスの装着時に前記属性情報も読み出し、前記通信制御手段は、着信時に受け取る前記アカウント情報に対応する属性情報に従って着信時の動作を行うことを特徴とする請求項２に記載の通信端末装置。
【請求項４】
前記属性情報として呼び出し音を含み、前記通信制御手段は、着信時に受け取る前記アカウント情報に対応する属性情報に従って着信時の呼び出し音を鳴動させることを特徴とする請求項３に記載の通信端末装置。
【請求項５】
少なくともＩＰ電話番号とＩＰアドレスとを対応づけて記憶している記憶手段と、ネットワークを通じて外部から登録内容の変更を受け付ける受付手段を有する登録サーバであって、前記受付手段は、ネットワーク装置からの要求に従い該ネットワーク装置のＩＰアドレスに対応づけられているＩＰ電話番号の登録、変更、削除を行うものであり、前記記憶手段は、同じＩＰアドレスに対して複数のＩＰ電話番号を対応づけて記憶可能であることを特徴とする登録サーバ。
【発明の詳細な説明】
【技術分野】
【０００１】
本発明は、ネットワークを利用して通話を実現するＩＰ電話の利用技術に関するものである。
【背景技術】
【０００２】
近年のネットワーク技術の発展とともに、インターネットなどを用いて通話を実現するＩＰ電話が広く利用されるようになってきた。ＩＰ電話では、ＳＩＰサーバなどの登録サーバにＩＰ電話番号とＩＰアドレスとが対応づけられて登録されており、ＩＰ電話番号が指定された場合に、対応するＩＰアドレスのネットワーク装置に対して着信を通知し、通話を開始する。このＩＰ電話番号とＩＰアドレスの対応付けは、従来、１台の電話機に１つの電話番号しか割り当てることができない。また、多くの場合にはＩＰ電話番号とＩＰアドレスの対応付けは開通時（あるいは開通まで）に固定的に行われるのみであった。
【０００３】
例えばＶｏＩＰアダプタなどで複数の電話番号をまとめて一つの電話機に割り当てたり、一つの番号に対して複数の電話機を鳴動させることができるものもある。しかし、ＶｏＩＰアダプタに着信する複数の電話番号は上述のように固定的に割り当てられており、ＶｏＩＰアダプタから簡単に登録削除などを行うことはできない、また、発信側の電話番号により着信音などの着信動作を変更するものは存在するが、着信した電話番号により着信動作を変更することはできなかった。
【０００４】
また別の技術として、一般の公衆回線網や内線網を利用する電話機においては、例えば特許文献１に記載されているように、予め利用者の内線番号と呼び出し音とを登録しておき、着呼時に得られる内線番号の利用者が近くにいれば、その内線番号に対応する呼び出し音で着信を報知することが考えられている。
【０００５】
しかし、一般の公衆回線網や内線網を利用する場合、電話機に着信する内線番号などの電話番号は交換機に登録しておく必要があり、電話機から変更することはできない。
【０００６】
例えば会社などで利用者に対して電話がかかってきた場合、その利用者の内線番号が交換機に登録されている特定の電話機が鳴動するのみである。その利用者が会議室へ移動した場合、鳴動する電話機から転送の指定を行うか、あるいは交換機に対して会議室の電話番号に対して転送を設定するといったことが行われている。これらの場合、会議室の電話機が会議に参加した利用者の電話番号により着信するわけではなく、会議室の電話機の電話番号で着信しているだけである。あるいは、利用者が携帯電話をそのまま持ち歩くといったことが行われているが、この場合には携帯電話という電話機は固定されており、携帯電話が着信する電話番号がその時々で変更されることはなかった。
【０００７】
【特許文献１】特開２００２−３１９９９５号公報
【発明の開示】
【発明が解決しようとする課題】
【０００８】
本発明は、上述した事情に鑑みてなされたもので、同じ電話番号で着信する電話機を利用者が容易に変更可能であり、また、着信時の動作を利用者毎に容易に設定可能な通信端末装置及び登録サーバを提供することを目的とするものである。
【課題を解決するための手段】
【０００９】
本発明は、登録サーバに登録された電話番号により複数の利用者がＩＰ電話として共用する通信端末装置において、少なくとも電話番号を含むアカウント情報の設定及び解除が可能な設定手段と、該設定手段による設定または解除の指示に従い前記登録サーバへの前記アカウント情報の登録あるいは前記登録サーバからの当該アカウント情報の解除を行う通信制御手段を有することを特徴とするものである。
【００１０】
設定手段は、アカウント情報を記憶したメモリデバイスの着脱が可能に構成することができる。メモリデバイスの装着により該メモリデバイスからアカウント情報を読み出して該アカウント情報の設定を通信制御手段に行わせ、メモリデバイスの取り外しにより対応するアカウント情報の解除を通信制御手段に行わせることができる。
【００１１】
メモリデバイスには、アカウント情報の他、そのメモリデバイスに対応する利用者の属性情報、例えば呼び出し音の情報などを記憶させておくことができる。そして、メモリデバイスの装着時に属性情報も読み出し、着信時に受け取るアカウント情報に対応する属性情報に従って着信時の動作、例えば対応する呼び出し音の鳴動などを行うように構成することができる。
【００１２】
また本発明は、少なくともＩＰ電話番号とＩＰアドレスとを対応づけて記憶している記憶手段と、ネットワークを通じて外部から登録内容の変更を受け付ける受付手段を有する登録サーバであって、受付手段は、ネットワーク装置からの要求に従い該ネットワーク装置のＩＰアドレスに対応づけられているＩＰ電話番号の登録、変更、削除を行うものであり、記憶手段は、同じＩＰアドレスに対して複数のＩＰ電話番号を対応づけて記憶可能であることを特徴とするものである。
【発明の効果】
【００１３】
本発明によれば、利用者が移動しても、移動先の通信端末装置へ、例えばメモリデバイスを装着するなどによりアカウント情報の設定を行えば、その利用者に対応するＩＰ電話番号で着信を受けることができる。また、利用者が別の場所へ移動する場合には、メモリデバイスを取り外せば当該通信端末装置への着信はなくなり、ユーザはメモリデバイスを目的地まで持ち運び、再び通信端末装置へ装着すれば着信を受けることができるようになる。このように、本発明の通信端末装置は、どのＩＰ電話番号の電話機にもなり得るものであり、また利用者も、どの通信端末装置でも自己のＩＰ電話番号で受けることが可能になり、高い番号ポータビリティを実現することができるという効果がある。
【発明を実施するための最良の形態】
【００１４】
図１は、本発明の実施の一形態を示すブロック図である。図中、１は通信端末装置、２は登録サーバ、３はネットワーク、１１は設定部、１２は通信制御部、１３は記憶部、１４はメモリデバイス、２１は記憶部、２２は受付部である。ここでは通信端末装置１と登録サーバ２とがネットワーク３により通信可能に接続されている。もちろん、ネットワーク３には様々なネットワーク機器が接続されている。以下の説明では主にＩＰ電話を利用する場合について説明するが、図示しない相手側機もネットワーク３あるいは他のネットワークを介して通信可能である。
【００１５】
通信端末装置１は、ネットワーク３を通じて通話が可能なＩＰ電話としての機能を有しており、複数の利用者によって共用される。通信端末装置１は、この例では設定部１１、通信制御部１２、記憶部１３を含んで構成されている。
【００１６】
設定部１１は、この通信端末装置１により電話を受ける利用者について、少なくとも電話番号を含むアカウント情報の設定及び解除を行うことができる。この設定部１１には、複数のメモリデバイス１４を装着可能である。アカウント情報の設定及び解除は、メモリデバイス１４の着脱により行うことができる。すなわち、メモリデバイス１４の装着により、その装着されたメモリデバイス１４からアカウント情報を読み出して記憶部１３に記憶させるとともに、アカウント情報の設定を通信制御部１２に行わせる。また、メモリデバイス１４が取り外されると、その取り外されたメモリデバイス１４に対応するアカウント情報の解除を通信制御部１２に行わせるとともに、記憶部１３から削除する。
【００１７】
メモリデバイス１４はそれぞれのＩＰ電話番号毎に設けられ、それぞれのＩＰ電話番号を利用する利用者あるいはグループにより所有される。メモリデバイス１４には、ＩＰ電話番号を含むアカウント情報や、そのＩＰ電話番号で着信したときの呼び出し音や音声出力または表示する際の名称などの属性情報などが記憶されている。
【００１８】
図２は、設定部１１においてメモリデバイスから読み出された情報の一例の説明図である。この例では、アカウント情報としてＩＰ電話番号が、また属性情報として呼び出し音を示すサウンドファイル名と、音声出力または表示するための文字列とを、メモリデバイス１４から読み出した例を示している。もちろん、これらの例に限らず、種々のデータをメモリデバイス１４に記憶させておき、設定部１１が読み出すように構成することができる。また、例えば呼び出し音を示す情報として、予め通信端末装置１に登録されている呼び出し音を特定する番号を登録しておくなど、それぞれの情報もこの例に限られるものではない。
【００１９】
図２に示した１行目の例では、ＩＰ電話番号が「０５０ｘｘｘｘｘｘｘｘ」であり、このＩＰ電話番号で着呼した際の呼び出し音としてファイル名が「ｔｙｐｅ１．ｗａｖ」のサウンドファイルを実行することを示し、また音声出力及び表示とも行わないことを示している。また、２行目の例では、ＩＰ電話番号が「０５０ｙｙｙｙｙｙｙｙ」であり、このＩＰ電話番号で着呼した際の呼び出し音としてファイル名が「ｔｙｐｅ２．ｗａｖ」のサウンドファイルを実行することを示し、また着呼時に「Ａさん」と表示するとともに音声出力することを示している。さらに、３行目の例では、ＩＰ電話番号が「０５０ｚｚｚｚｚｚｚｚ」であり、このＩＰ電話番号で着呼した際の呼び出し音としてファイル名が「ｔｙｐｅ３．ｗａｖ」のサウンドファイルを実行することを示し、また着呼時に「ＡＢＣ課」と表示するとともに音声出力することを示している。
【００２０】
設定部１１は、例えばメモリデバイス１４の装着により図２の３行目に示す情報を読み出した場合には、ＩＰ電話番号「０５０ｚｚｚｚｚｚｚｚ」の設定を通信制御手部１２に行わせる。また、同じく図２の１行目に示すＩＰ電話番号「０５０ｘｘｘｘｘｘｘｘ」に対応するメモリデバイス１４が取り外されると、そのＩＰ電話番号「０５０ｘｘｘｘｘｘｘｘ」の解除を通信制御部１２に行わせる。
【００２１】
通信制御部１２は、ネットワーク３を通じて、登録サーバ２やＩＰ電話の相手先など、他のネットワーク機器との通信制御を行う。特に本発明では、設定部１１による設定または解除の指示に従い、登録サーバ２へのアカウント情報の登録、あるいは、登録サーバ３からのアカウント情報の解除を行う。また、ＩＰ電話の着信時には、送られてくる着信先のＩＰ電話番号をもとに、例えば図２に示したようなメモリデバイス１４から読み出した情報から、対応する属性情報に従って着信時の動作を行う。
【００２２】
例えば図２に示した例では、着信時にＩＰ電話番号「０５０ｙｙｙｙｙｙｙｙ」が送られてきた場合には、呼び出し音としてサウンドファイル「ｔｙｐｅ２．ｗａｖ」の音を鳴動させ、また「Ａさん」と表示するとともに音声出力する。着信時にＩＰ電話番号「０５０ｘｘｘｘｘｘｘｘ」、「０５０ｚｚｚｚｚｚｚｚ」が送られてきた場合も同様であり、対応するサウンドファイルの音を鳴動させるとともに、設定されていれば、文字列を表示及び音声出力する。
【００２３】
これによって、複数のＩＰ電話番号での着信が可能であるとともに、着信したときのＩＰ電話番号ごとに、対応する呼び出し音を鳴動させ、あるいは文字列を表示または音声出力することができる。
【００２４】
記憶部１３は、設定部１１に装着されたメモリデバイス１４から読み出したアカウント情報や属性情報を記憶している。例えば図２に示したような内容を記憶しておくことができる。
【００２５】
登録サーバ２は、例えばＳＩＰ（ｓｅｓｓｉｏｎ  ｉｎｉｔｉａｔｉｏｎ  ｐｒｏｔｏｃｏｌ）サーバなどで構成され、ＩＰ電話番号とＩＰアドレスとを対応づけて記憶部２１に記憶している。なお、ＩＰ電話番号が異なれば同じＩＰアドレスが登録されてもかまわない。また、ＩＰ電話番号とＩＰアドレスの対には、例えばそのＩＰ電話番号が利用可能か否かなどを含む状態を示す状態情報（属性情報）を付加しておくことができる。
【００２６】
受付部２２は、ネットワーク３を通じて外部から登録内容の照会や、登録、変更、削除などの依頼を受け付ける。照会の依頼に対しては、受け取ったＩＰ電話番号に対応するＩＰアドレスを返す。登録の依頼の場合には、ＩＰ電話番号とＩＰアドレスを受け取り、あるいはＩＰアドレスは依頼元のＩＰアドレスとし、ＩＰ電話番号とＩＰアドレスの対を記憶部２１に記憶させる。削除の依頼の場合には、受け取ったＩＰ電話番号とＩＰアドレスの対を記憶部２１から削除する。変更の依頼の場合には、記憶部２１に記憶されているＩＰ電話番号とＩＰアドレスの対のいずれかを変更するか、あるいは、ＩＰ電話番号とＩＰアドレスの対に付加されている状態情報（属性情報）の変更を行う。
【００２７】
以下、本発明の実施の一形態における動作の一例について、主に通信端末装置１の動作例をもとに説明してゆく。図３は、メモリデバイス１４が装着されたときの通信端末装置１の動作の一例を示すフローチャートである。利用者は、居室や会議室など、自分が滞在する場所に備えられている通信端末装置１に、携行しているメモリデバイス１４を挿入することによって、その通信端末装置１で自分のＩＰ電話番号にかかってきた電話を受けることが可能になる。通信端末装置１の設定部１１にメモリデバイス１４が装着されると、図３に示す動作が開始する。
【００２８】
Ｓ３１において、設定部１１は、装着されたメモリデバイス１４からアカウント情報（ＩＰ電話番号）を読み出して記憶部１３に記憶させる。そしてＳ３２において、読み出したアカウント情報の登録を通信制御部１１に依頼し、通信制御部１１はネットワーク３を通じて登録サーバ２へアカウント情報の登録を依頼する。なお、ここでのアカウント情報の登録は、新規にＩＰ電話番号とＩＰアドレスの対を登録するほか、既にＩＰ電話番号とＩＰアドレスが登録されている場合にはＩＰアドレスの変更（および利用可能である旨への状態情報の変更）を行ってもよい。
【００２９】
登録サーバ２は、この通信端末装置１からの要求を受付部２１で受け付け、新規登録あるいはＩＰアドレス（及び状態情報）の変更を行う。これによって、当該ＩＰ電話番号への他のネットワーク機器からの発呼は、通信端末装置１のＩＰアドレスを用いて通信端末装置１に対して行われることになる。
【００３０】
さらに通信端末装置１では、Ｓ３３において、メモリデバイス１４に属性情報が記憶されているか否かを判断し、記憶されていれば、Ｓ３４において属性情報をメモリデバイス１４から読み出して、アカウント情報と対応づけて記憶部１３に記憶させておく。メモリデバイス１４に属性情報が記憶されていなければ、もちろん属性情報を読み出すことはできないが、この場合には、例えばデフォルトの属性情報を付加しておくことができる。
【００３１】
以上によりメモリデバイス１４が装着されたときの処理を終了する。以後、上述のように当該メモリデバイス１４に記憶されていたアカウント情報でＩＰ電話を受けることが可能になる。
【００３２】
図４は、通信端末装置１における着信時の動作の一例を示すフローチャートである。Ｓ４１において着呼を待ち、着呼が検出されると、そのとき送られてくるアカウント情報（ＩＰ電話番号）を取得する。受け取ったアカウント情報が記憶部１３に記憶されているか否かをＳ４２で判定し、登録されていなければＳ４３においてエラー応答を行って着信時の処理を終了する。
【００３３】
送られてきたアカウント情報が記憶部１３に記憶されていれば、Ｓ４４において、対応する属性情報の有無を判定する。属性情報が対応づけられていなければ、Ｓ４５においてデフォルトの呼び出し設定により呼び出しを行う。
【００３４】
属性情報が記憶されている場合には、Ｓ４６において、属性情報中に呼び出し音の設定があるか否かを判定する。呼び出し音の設定があれば、Ｓ４７において、設定されているサウンドファイルを再生し、呼び出し音の設定がなければ、Ｓ４８において、デフォルトの呼び出し音を鳴動する。これにより呼び出しがなされる。
【００３５】
さらにＳ４９において、属性情報中に音声または表示設定がなされているか否かを判定する。登録されている場合には、Ｓ５０において、登録されている文字列を表示し、あるいは音声出力する。
【００３６】
これらの呼び出しの際の処理を行い、Ｓ５１においてオフフックを監視し、またＳ５２において切断（通信終了）を監視する。Ｓ５１でオフフックを検出したら、Ｓ５３において通話が可能になる。また、オフフックされずにＳ５２で切断を検出したら、そのまま着信時の処理を終了する。
【００３７】
以上の着信時の処理において、この通信端末装置１には複数のメモリデバイス１４が装着可能であることから、着信時に送られてくるアカウント情報は複数存在する可能性がある。いずれのアカウント情報（ＩＰ電話番号）で着信したのかは、例えば呼び出し音により利用者が区別することができる。あるいは、表示される文字列、または音声出力される文言により区別することができる。従って、複数の利用者が通信端末装置１を共用していても、誰に対して着信したのかを利用者が知ることができる。また、利用者はどこにいても、すなわちどの通信端末装置にメモリデバイス１４を挿入した場合でも、同じ呼び出し音や表示または音声出力により呼び出しを受けることができるため、自分が呼び出されていることを容易に知ることができるという利点もある。
【００３８】
図５は、メモリデバイス１４が取り外されたときの通信端末装置１の動作の一例を示すフローチャートである。利用者は、場所を移動する際には通信端末装置１からメモリデバイス１４を取り外し、移動先へ携行してゆけばよい。通信端末装置１の設定部１１からメモリデバイス１４が取り外されると、図５に示す動作が開始する。
【００３９】
Ｓ６１において、設定部１１は、取り外されたメモリデバイス１４に対応するアカウント情報の解除を通信制御部１１に依頼し、通信制御部１１はネットワーク３を通じて登録サーバ２へアカウント情報の解除を依頼する。なお、ここでのアカウント情報の解除は、ＩＰ電話番号とＩＰアドレスの対を削除するほか、ＩＰ電話番号に対応するＩＰアドレスを消去したり、あるいは、状態情報として利用できない状態に変更してもよい。
【００４０】
さらにＳ６２において、記憶部１３に記憶されているアカウント情報を削除するとともに、Ｓ６３で属性情報も記憶されていると判断される場合には、Ｓ６４で属性情報についても削除する。
【００４１】
以上によりメモリデバイス１４が取り外されたときの処理を終了する。以後、取り外されたメモリデバイス１４に対応するアカウント情報でのＩＰ電話は、当該通信端末装置１には着信しなくなる。利用者は、移動先に備えられている通信端末装置１に、携行しているメモリデバイス１４を装着すれば、移動先において同じＩＰ電話番号でのＩＰ電話を受けることができる。
【００４２】
このように、通信端末装置１はメモリデバイス１４の着脱により、どのようなＩＰ電話番号でも受けることが可能であり、利用者がメモリデバイス１４を着脱することにより、どの通信端末装置でも同じＩＰ電話番号でＩＰ電話を受けることが可能である。これにより、従来の公衆回線網の固定電話にはなかった、番号ポータビリティを実現することができる。
【００４３】
なお、上述のようにメモリデバイス１４を取り外したときに登録サーバ２のアカウント情報を解除してしまうと、そのＩＰ電話番号での着信ができなくなる。これを回避するため、移動中の動作を登録サーバ２に対して登録しておいたり、あるいは、メモリデバイス１４に転送先の電話番号を記憶させておいて、当該通信端末装置１あるいは登録サーバ２に転送先の電話番号を設定して、着信したＩＰ電話を転送するように構成することも可能である。
【図面の簡単な説明】
【００４４】
【図１】本発明の実施の一形態を示すブロック図である。
【図２】設定部１１においてメモリデバイスから読み出された情報の一例の説明図である。
【図３】メモリデバイス１４が装着されたときの通信端末装置１の動作の一例を示すフローチャートである。
【図４】通信端末装置１における着信時の動作の一例を示すフローチャートである。
【図５】メモリデバイス１４が取り外されたときの通信端末装置１の動作の一例を示すフローチャートである。
【符号の説明】
【００４５】
１…通信端末装置、２…登録サーバ、３…ネットワーク、１１…設定部、１２…通信制御部、１３…記憶部、１４…メモリデバイス、２１…記憶部、２２…受付部。
【図１】
2007053682.tif 000003
【図２】
2007053682.tif 000004
【図３】
2007053682.tif 000005
【図４】
2007053682.tif 000006
【図５】
2007053682.tif 000007